(57)【要約】互いにヒンジ線（２７）に沿って連結された蓋（２）と基部（３）を有し、基部は、第１メインパネル（２４）と第２メインパネル（２５）を含む喫煙品パックブランク。これらメインパネルは、それぞれそこから延びたサイドパネル（３２、３３、３８、３９）を有し、少なくともこれらサイドパネルの内の１つはそこから延びるサイドフラップ（３５）を有する。この喫煙品パックを組み立てる際、ブランクは、その側壁の縦方向に延びた軸（３４）を中心にヒンジ式に開閉する。さらに本発明は、この喫煙品パックブランクと複数の内方ブランクとを含む喫煙品パックを提供する。この喫煙品パックは、その側壁の縦方向に延びたヒンジ線を中心にヒンジ式に開閉する。
2006519735.tif 000002
【特許請求の範囲】
【請求項１】
喫煙品用パックブランクであって、ヒンジ線に沿って相互に連結された蓋部と基部とを含み、この基部は、ブランクが組み立てられたときに互いに向き合う第１メインパネルおよび第２メインパネルと、底部パネルとを含み、各パネルは、縦方向に延びたサイドマージンによって限定され、サイドパネルが前記第１および第２パネルの縦方向に延びたマージンから延び、サイドフラップが１つのメインパネルのサイドパネルの縦方向に延びたマージンに連結され、ブランクが組み立てられたときに第１および第２メインパネルを連結することを特徴とする喫煙品用パックブランク。
【請求項２】
前記サイドフラップがヒンジ線によって隣接するサイドパネルに連結されていることを特徴とする請求項１記載のブランク。
【請求項３】
前記各パネルが頂部マージンと底部マージンを有することを特徴とする請求項１または２記載のブランク。
【請求項４】
前記底部パネルが少なくとも２つの底部パネル部からなることを特徴とする請求項１乃至３いずれか１項記載のブランク。
【請求項５】
前記底部パネルが２つの底部パネル部からなることを特徴とする請求項４記載のブランク。
【請求項６】
前記底部パネルが軟化線に沿って接合されていることを特徴とする請求項４または５記載のブランク。
【請求項７】
前記軟化線が底部パネルの縦方向に延びたマージンの間を延びていることを特徴とする請求項６記載のブランク。
【請求項８】
前記底部パネルの前記軟化線が底部パネルの縦方向に延びたマージンの間を前記底部パネルの頂部マージンおよび／または底部マージンに対して平行に延びていることを特徴とする請求項７記載のブランク。
【請求項９】
前記軟化線がミシン目線であることを特徴とする請求項６乃至８いずれか１項記載のブランク。
【請求項１０】
前記底部パネル部が互いに一体化されていることを特徴とする請求項４または５記載のブランク。
【請求項１１】
前記底部パネル部が互いに分離可能であることを特徴とする請求項１０記載のブランク。
【請求項１２】
前記底部パネル部が一体化線に沿って互いに分離可能であることを特徴とする請求項１１記載のブランク。
【請求項１３】
前記一体化線が底部パネルの対向する縦方向に延びたマージンの間を延びていることを特徴とする請求項１２記載のブランク。
【請求項１４】
前記一体化線が底部パネルの対向する縦方向に延びたマージンの間を前記底部パネルの頂部マージンおよび／または底部マージンに対して平行に延びていることを特徴とする請求項１３記載のブランク。
【請求項１５】
前記底部パネルが喫煙品の直径の倍数に等しい幅を有し、前記サイドパネルが喫煙品の直径の倍数に等しい幅を有することを特徴とする請求項１乃至１４いずれか１項記載のブランク。
【請求項１６】
メインパネルから延びた各サイドパネルの幅寸法が、そのメインパネルに隣接し、軟化線または一体化線によって形成された底部パネル部の幅寸法に実質的に等しいことを特徴とする請求項１乃至１５いずれか１項記載のブランク。
【請求項１７】
前記パネルが共通の縦方向に延びた軸を有することを特徴とする請求項１乃至１６いずれか１項記載のブランク。
【請求項１８】
前記底部パネルの幅の合計が、前記第１メインパネルの縦方向に延びたマージンから延びたサイドパネルの幅と前記第２メインパネルの縦方向に延びたマージンから延びたサイドパネルの幅との合計に等しいことを特徴とする請求項１乃至１７いずれか１項記載のブランク。
【請求項１９】
前記サイドフラップとサイドパネルを連結する前記ヒンジ線が、前記サイドフラップとこれに隣接するサイドパネルの間を縦方向に延びた共通のマージンから形成されていることを特徴とする請求項２乃至１８いずれか１項記載のブランク。
【請求項２０】
前記サイドフラップが前記基部の第２メインパネルのサイドパネルの外方の縦方向に延びたマージンから延びていることを特徴とする請求項１乃至１９いずれか１項記載のブランク。
【請求項２１】
前記ブランクが組み立てられたとき、前記サイドフラップが前記第１または第２メインパネルのサイドパネルの縦方向に延びたマージンから延び、前記サイドフラップがもう一方のメインパネルのサイドパネルの上に重なることを特徴とする請求項１乃至２０いずれか１項記載のブランク。
【請求項２２】
前記サイドパネルおよび前記サイドフラップが実質的に同じ幅を有することを特徴とする請求項２１記載のブランク。
【請求項２３】
前記ブランクが組み立てられたとき、サイドフラップを有する方のサイドパネルが、組み立てられたブランクの側壁を縦方向に延びたヒンジ線を形成することを特徴とする請求項１乃至２２いずれか１項記載のブランク。
【請求項２４】
前記ブランクが外方ブランクであることを特徴とする請求項１乃至２３いずれか１項記載のブランク。
【請求項２５】
前記基部が２つのサイドフラップを含み、これらサイドフラップがそれぞれ前記２つのメインパネルの内の１つのメインパネルの第１および第２サイドパネルの縦方向に延びたマージンから延びていることを特徴とする請求項７記載のブランク。
【請求項２６】
前記サイドフラップがそれぞれ前記第２メインパネルの第１および第２サイドパネルの外方の縦方向に延びたマージンから延びていることを特徴とする請求項２５記載のブランク。
【請求項２７】
前記第２メインパネルの頂部マージンから底部マージンへと縦方向に延びている第２の軟化線をさらに含むことを特徴とする請求項２５または２６記載のブランク。
【請求項２８】
前記第２軟化線が縦方向に前記第２メインパネルの縦方向に延びたサイドマージンに対して実質的に平行に延びていることを特徴とする請求項２７記載のブランク。
【請求項２９】
前記第２軟化線が前記第２メインパネルの底部マージンから前記底部パネル内へと延びていることを特徴とする請求項２７または２８記載のブランク。
【請求項３０】
前記第２軟化線がミシン目線であることを特徴とする請求項２７乃至２９いずれか１項記載のブランク。
【請求項３１】
組み立てられた際に喫煙品の束を包むことができる複数の内方ブランクと組み合わされる請求項１乃至３０いずれか１項記載のブランク。
【請求項３２】
請求項１乃至３０いずれか１項記載の喫煙品パックブランクと複数の内方ブランクとを含み、前記喫煙品パックブランクが前記複数の内方ブランクの周りに組み立てることができる喫煙品パック。
【請求項３３】
前記内方ブランクがそれぞれ少なくとも１つのメインパネルを有することを特徴とする請求項３２記載の喫煙品パック。
【請求項３４】
前記内方ブランクがそれぞれ２つのメインパネルを含むことを特徴とする請求項３３記載の喫煙品パック。
【請求項３５】
前記喫煙品パックブランクが前記複数の内方ブランクの周りに組み立てられ、蓋によって閉じた状態に維持されることを特徴とする請求項３２記載の喫煙品パック。
【請求項３６】
請求項３１記載の喫煙品パックの製造方法であって、包装材に喫煙品の束を包む工程と、内方ブランクをパック組み立て装置に供給する工程と、前記内方ブランクを部分的に組み立てる工程と、前記包装された喫煙品の束を前記部分的に組み立てられた内方ブランクに充填する工程と、前記包装された喫煙品の束の周りで前記部分的に組み立てられたブランクを完全に組み立てる工程と、２つ以上の内方ブランクが充填される前に部分的に組み立てられる喫煙品パックブランクをパック組み立て装置に供給する工程と、前記部分的に組み立てられた喫煙品パックブランクを前記内方ブランクの周りに組み立てることを特徴とする喫煙品パックの製造方法。
【請求項３７】
図１を参照して説明された喫煙品パックブランク。
【請求項３８】
図４を参照して説明された喫煙品パックブランク。
【請求項３９】
本明細書で説明した喫煙品パックブランク。
【発明の詳細な説明】
【技術分野】
【０００１】
本発明は、喫煙品パックのブランク、特に紙巻きタバコ用パックのブランクに関する。
【背景技術】
【０００２】
複数のコンパートメントからなる紙巻きタバコ用のパックは、既に当業界で知られている。例えば、下記特許文献１には、複数のジョイント構造のコンパートメントからなり、これらコンパートメントが単一のこれらに連結された蓋によって閉じられるパックが開示されている。この特許文献は、このパックがどのように組み立てられるかを示すブランクを開示していないが、その明細書からそのパックが従来のパック組み立て装置、または、ある程度変更されたパック組み立て装置では容易に組み立てることができないことは明らかである。
【特許文献１】フランス特許第２６１４７２０号
【発明の開示】
【発明が解決しようとする課題】
【０００３】
本発明の目的は、タバコ業界で要求される高製造速度で容易に組み立てられる喫煙品用パックブランクを提供することである。
【０００４】
本発明はさらに従来のパック組み立て装置で製造できる、または従来の組み立て装置を僅かに変更するだけで製造することができるブランクを提供することも目的としている。
【課題を解決するための手段】
【０００５】
本発明は、蓋部と基部とからなり、この蓋部と基部はヒンジ線に沿って互いに連結され、基部は、第１メインパネルと、第２メインパネルと、底部パネルとを含み、これら各パネルは、縦方向に延びたサイドマージンによって限定され、第１および第２メインパネルは、それぞれサイドパネルを有し、これらサイドパネルは、第１および第２メインパネルの縦方向に延びたマージンから延び、少なくとも１つのサイドパネルは、その縦方向に延びたマージンから延びているサイドフラップを有する喫煙品用パックブランクを提供する。
【０００６】
サイドフラップは、隣接するサイドパネルにヒンジ線によって連結されていることが好ましい。
【０００７】
各パネルは、好ましくは頂部マージンと底部マージンを有する。
【０００８】
本発明の喫煙品用パックブランクの底部パネルは、少なくとも２つの底部パネル部を含むのが好ましい。底部パネルは、２つの底部パネル部を有すると有利である。
【０００９】
これら底部パネル部は、軟化線（a line of weakening）に沿って接合されていることが好ましい。別の構成では、底部パネル部は、互いに一体化されていてもよい。
【００１０】
底部パネル部が軟化線に沿って接合されている場合、この軟化線は、底部パネルの縦方向に延びたマージンの間を延びていることが好ましい。また軟化線は、底部パネルの対向する縦方向に延びたマージンの間を延び、底部パネルの縦方向に延びたマージンまで、しかしながらこのマージンを越えないように延びると有利である。底部パネルの軟化線は、底部パネルの縦方向に延びたマージンの間を底部パネルの頂部マージンおよび／または底部マージンに対して平行に延びることがより好ましい。
【００１１】
軟化線は、ミシン目線であると有利である。
【００１２】
また底部パネル部が互いに一体化されている別の構成では、底部パネル部は、互いに分離可能であることがより好ましい。好適には底部パネル部は、２つの底部パネル部の間の一体化線に沿って切断することによって分離される。より好ましくは一体化線は底部パネルの対向する縦方向に延びたマージンの間を延びる。さらに好ましくは一体化線は、底部パネルの対向する縦方向に延びたマージンの間を底部パネルの頂部マージンおよび／または底部マージンに対して平行に延びる。
【００１３】
底部パネルは、喫煙品の直径の倍数に等しい幅寸法を有し、サイドパネルが喫煙品の直径の倍数に等しい幅寸法を有すると有利である。喫煙品が縦型パック内にネスト（nested）式に配されている場合、底部パネルの幅寸法およびサイドパネルの幅寸法は、喫煙品の直径の倍数より若干小さくてもよい。ここでは「倍数」と言った場合、１も含む。喫煙品パックブランクのメインパネルから延びている各サイドパネルの幅寸法は、メインパネルに隣接する底部パネル部の幅寸法に等しく、底部パネル部は、底部パネルの軟化線または一体化線によって制限されていることが好ましい。好適には、本発明の喫煙品パックブランクのパネルは、共通の縦方向に延びた軸を有する。
【００１４】
底部パネルの総幅寸法は、第１メインパネルの縦方向に延びたマージンから延びたサイドパネルの幅と第２メインパネルの縦方向に延びたマージンから延びたサイドパネルの幅の合計に等しいと有利である。
【００１５】
サイドフラップとサイドパネルを連結するヒンジ線は、サイドフラップとこれに隣接するサイドパネル間の共通の縦方向に延びたマージンによって形成されるのが好ましい。
【００１６】
サイドフラップは、その隣接するサイドパネルの外方の縦方向に延びたマージンから延びていることが好ましい。
【００１７】
サイドフラップは、喫煙品パックブランクの基部の第２メインパネルのサイドパネルの外方の縦方向に延びたマージンから延びていると有利である。喫煙品パックブランクを組み立てた際、サイドフラップは、ブランクのもう一方のメインパネルのサイドパネルの上に重なる。これとは別にもう一方のメインパネルのサイドパネルが、ブランクが組み立てられた際にサイドフラップの上に重なるようにしてもよい。
【００１８】
サイドフラップは、喫煙品パックブランクの基部の第１メインパネルのサイドパネルの上に重なるのがより好ましい。サイドパネルとこれと重なるサイドフラップの幅寸法は、実質的に同じであると有利である。喫煙品パックブランクが組み立てられた際、より好ましくはサイドフラップが延びるている方のサイドパネルの縦方向に延びたマージンが組み立てられたブランクの側壁の縦方向に延びたヒンジ線を形成する。この縦方向に延びたヒンジ線に隣接する重なったサイドパネルの縦方向に延びたマージンによって、組み立てられたブランクは、そのヒンジ線を中心にヒンジ式に開閉する。
【００１９】
本発明の喫煙品パックブランクは、外方ブランクであることが好ましい。ここで言う「外方ブランク」とは、組み立てられた１つの内方ブランクまたは複数の内方ブランクの周りに組み立てられるブランクであり、またはこれとは別に包装材で包装された喫煙品の周りに組み立てられるブランクであってもよい。
【００２０】
本発明の第２の態様では、喫煙品パックブランクの基部は、２つのサイドフラップを含み、これらサイドフラップは、それぞれブランクのメインパネルの内の１つの第１および第２サイドパネルの縦方向に延びたマージンから延びている。これらサイドフラップは、ブランクの第２メインパネルの第１および第２サイドパネルの外方の縦方向に延びたマージンから延びているのが好ましい。
【００２１】
この喫煙品パックブランクが組み立てられた際、より好ましくはサイドフラップが延びている方のサイドパネルの縦方向に延びたマージンは、組み立てられたブランクの各側壁の縦方向に延びたヒンジ線を形成している。この縦方向に延びたヒンジ線に隣接した重なったサイドパネルの縦方向に延びたマージンによって組み立てられたブランクは、ヒンジを中心にヒンジ式に開閉する。
【００２２】
本発明の第２の態様では喫煙品パックブランクの基部は、さらに第２の軟化線を含み、この第２軟化線は、第２メインパネルの頂部マージンから底部マージンへと縦方向に延びる。
【００２３】
好ましくは第２軟化線は、喫煙品パックブランクの第２メインパネルの縦方向に延びたサイドマージンに対して実質的に平行に縦方向に延びている。さらに第２軟化線は、第２メインパネルの底部マージンを横断して喫煙品パックブランクの底部パネル内へと延びている。好ましくは第２メインパネルの底部マージンは、それを横断する軟化線を有する。より好ましくは第２軟化線は、底部パネルを横切って延びた軟化線まで延びるが、これと交差またはこれを越えて延びない。好ましくは第２軟化線は、ブランクの第２メインパネルと底部パネルの縦方向に延びた中央軸に沿って位置する。
【００２４】
第２軟化線は、ミシン目線であることが好ましい。
【００２５】
本発明の第２の態様の別の構成においては、第２軟化線は、一体化線（a line of integration）であってもよい。
【００２６】
本発明の第２の態様において、軟化線と一体化線を組み合わせて含んでもよいことは当業者には明らかである。例えば、喫煙品パックブランクの底部パネルに軟化線を残したまま、第２軟化線を一体化線に代えてもよい。同様にパックブランクが第２軟化線を含み、かつ、底部パネルの軟化線を一体化線に代えてもよい。
【００２７】
本発明の第２の態様のこの別の構成では、第２の一体化線は、喫煙品パックブランクの第２のメインパネルを２つの第２メインパネル部に分離する。これら２つの第２メインパネル部は、一体化線に沿って互いに分離可能であることが好ましい。この一体化線に沿った２つの第２メインパネル部の分離は、例えば一体化線に沿って切断することによって行ってもよい。
【００２８】
さらに本発明は、複数の内方ブランクを含む喫煙品用パックを提供し、これら内方ブランクは、本発明の喫煙品パックブランクと組み合わせて使用することができる。組み立てられた際、各内方ブランクは、喫煙品の束を包むことができる。
【００２９】
内方ブランクは、本発明の喫煙品パックブランクとは別個に形成するのが好ましい。これとは別に内方ブランクを喫煙品パックブランクと一体に形成してもよい。
【００３０】
さらに好ましくは内方ブランクは、少なくとも１つのメインパネルを含む。より好ましくは内方ブランクは、２つのメインパネルを含む。内方ブランクのこれら２つのメインパネルは、底部パネルによって相互に連結されていると有利である。
【００３１】
内方ブランクのメインパネルの少なくとも１つは、その頂部マージンに切り欠き部を有することが好ましい。この切り欠き部は、内方ブランクが組み立てられた際に内方ブランク内に保持された喫煙品を容易に取り出せる深さを有することが好ましい。
【００３２】
喫煙品パックブランクが複数の内方ブランクの周りに組み立てられた際、各内方ブランクの１つのメインパネルは、喫煙品パックブランクのメインパネルに固定され、喫煙品パックブランクの軟化線および／または一体化線が、破断され、および／または切断され、喫煙品パックブランクがその側壁のヒンジ線を中心に開かれた際に各内方ブランクのもう一方のメインパネルが、露出する。
【００３３】
組み立てられた喫煙品パックは、組み立てられた喫煙品パックブランクの蓋および破られていない軟化線を喫煙者が最初に開放するまで閉じた状態にある。喫煙者が組み立てられたパックを最初に開ける際に軟化線を破いたら、パックは、組み立てられた喫煙品パックブランクの蓋によって再度、閉じることができる。
【００３４】
これとは別に組み立てられたパックが喫煙者の手元に届く前に軟化線および／または一体化線を破断または切断してもよい。
【００３５】
本発明の第２の態様において、組み立てられた喫煙品パックは、その側壁に縦方向に延びる２本のヒンジ線を含むことは当業者であれば容易に理解されるはずである。さらに本発明の第２の態様は、一方が喫煙品パックブランクの底部パネルを横断して底部パネルの縦方向に延びたマージンの間を延び、もう一方が喫煙品パックブランクの第２メインパネルの頂部マージンと底部パネルの第１軟化線との間を縦方向に延びた２本の軟化線を含む喫煙品パックブランクを提供する。
【００３６】
本発明のブランクは、種々の寸法および形状のパックを形成するのに利用することができる。例えば本発明は、方形、丸みを帯びたまたは面取りされた縦方向に延びたマージンを有するブランクを提供することができる。さらに本発明は、「インターナショナル」、「キングサイズ」、「スーパーキング」または「ジャンボカートン」として当業界で知られている形状寸法を有するパックの形成に利用することもできる。好ましくは本発明の喫煙品パックブランクは、ヒンジ式パックを形成するために組み立てられる。また本発明は、本願出願人による下記特許文献２に開示された概念と組み合わせてもよい。
【特許文献２】国際公開第ＷＯ０３／０７８７２４号公報
【００３７】
本発明の外方ブランクおよび内方ブランクから組み立てられる喫煙品パックは、例えばセロファン包装材などで包装してもよい。より好ましくはセロファン包装材は、喫煙者が容易に取り外せるように開封帯を有する。この開封帯は、喫煙者がパックから喫煙品を取り出せるようにセロファン包装材全体を取り外せるように位置していると有利である。例えば開封帯は、組み立てられたパックの蓋の部分の周囲に位置させてもよい。これとは別に開封帯は、組み立てられたパックを中心に縦方向に配置させてもよい。
【００３８】
さらに本発明は、本発明の外方喫煙品パックブランクと複数の内方ブランクから組み立てられる喫煙品パックの組み立て方法を提供し、この方法は、包装材で喫煙品の束を包装する工程、内方ブランクをパック組み立て機に供給する工程と、内方ブランクを部分的に組み立てる工程と、包装された喫煙品の束を部分的に組み立てられた内方ブランク内に詰め込む工程と、この喫煙品の束を中心に内方ブランクを完全に組み立てる工程と、２つ以上の組み立てられた内方ブランクが外方ブランク内に詰め込まれる前に部分的に組み立てられた外方ブランクをパック組み立て機に供給する工程と、内方ブランクの周りで外方ブランクを完全に組み立てる工程とを含む。
【００３９】
好ましくはこの組み立て方法では１つ以上のパック組み立て装置を使用する。最も好ましくはこの組み立て方法は、１つの組み立て装置を使用する。
【００４０】
好ましくは喫煙品パックは、本発明の外方喫煙品パックブランクと本発明の内方ブランクとの組み合わせから形成される。
【００４１】
本発明が容易に理解され、容易に実施されるように添付の図面を参照し、本発明を以下に説明する。
【００４２】
図中、共通な部材には同じ符号を付してある。
【００４３】
図１は本発明の第１の態様による外方ブランク１を示す。外方ブランク１は、蓋部２と基部３とを含む。この蓋部２は、前面パネル４と、後部パネル５と、頂部パネル６と、内方前面パネル７とを含む。パネル４、５、６および７は、頂部マージン８、９、１０および１１をそれぞれ有する。図１に示す本発明の態様において、頂部マージン８、９および１０は、内方前面パネル７、頂部パネル６および前面パネル４の底部マージンをも形成している。
【００４４】
さらに蓋２は、縦方向に延びたマージン１２および１３を含み、これらマージンからサイドパネル１４および１５が延びている。バックパネル５は、縦方向に延びたマージン１６および１７を有する。そして内方サイドパネル１８および１９が、これらバックパネルの縦方向に延びたマージン１６および１７から延びている。内方サイドパネル１８および１９は、それぞれ頂部マージン２０および２１を有し、これら頂部マージンは、内方頂部パネル２２および２３の底部マージンを形成している。
【００４５】
外方ブランク基部３は、第１メインパネル２４、第２メインパネル２５および底部パネル２６ａ、２６ｂを有する。第１メインパネル２４は、ヒンジ線２７に沿って蓋部の後部パネル５と相互に連結している。また第１メインパネルは、マージン２８に沿って底部パネル２６ａ、２６ｂに連結され、底部パネル２６ａ、２６ｂは、さらにマージン２９に沿って第２メインパネルに連結されている。
【００４６】
外方ブランクの第２メインパネル２５は、縦方向に延びたマージン３０および３１を有し、これらマージンからサイドパネル３２および３３がそれぞれ延びている。サイドフラップ３５は、サイドパネル３３の縦方向に延びた外方マージン３４から延びている。これとは別の構成において、サイドフラップ３５は、サイドパネル３２の縦方向に延びた外方マージン４１から延びてもよい。
【００４７】
第１メインパネル２４は、縦方向に延びたマージン３６および３７を有する。サイドパネル３８および３９は、それぞれこれらマージンから延びている。
【００４８】
底部パネル２６は、その縦方向に延びたマージン４２および４３の間で延びているミシン目線４０を有する。
【００４９】
外方ブランクが組み立てられると、サイドフラップ３５は、サイドパネル３９の内面に接して位置する。これとは別にサイドフラップ３５をサイドパネル３９の外面と接触するように位置させてもよい。サイドフラップ３５は、例えば糊付けによってサイドパネル３９の所定の位置に固定される。縦方向に延びたマージン３４は、ヒンジ線を形成し、これにより組み立てられた外方ブランク１は、このヒンジ線を中心にヒンジ式に開閉する。かじり（scoring）（存在する場合）を含むサイドパネル３２および３８の幅の合計は、組み立てられた外方ブランクの幅に等しい。かじり（存在する場合）を含むサイドパネル３２および３８の幅の合計は、底部パネルの縦方向に延びたマージン４２および４３それぞれの長さに等しい。喫煙品の直径の倍数よりこれらマージン４２および４３の長さが僅かに短いために喫煙品がネスト式に配されていなければ、これらマージンの長さは、喫煙品の直径の倍数に等しい。
【００５０】
かじり（存在する場合）を含むサイドパネル３２および３３それぞれの幅は、底部パネル２６ａの縦方向に延びたマージンの長さに等しい。かじり（存在する場合）を含むサイドパネル３８および３９それぞれの幅は、底部パネル２６ｂの縦方向に延びたマージンの長さに等しい。
【００５１】
図１は丸みを帯びた縦方向に延びたマージンを有する外方ブランク１を示している。これとは別に外方ブランク１は、方形または面取りされた縦方向に延びたマージンを有してもよい。
【００５２】
図１に示した外方ブランク１は、図２および３に示す内方ブランクと組み合わせて使用してもよい。図２の内方ブランク４４は、メインパネル４５および４６と、底部パネル４７とを含む。メインパネル４５は、マージン４８に沿って底部パネル４７に連結されている。メインパネル４６は、マージン４９に沿って底部パネル４７に連結されている。この内方ブランク４４は、さらにサイドパネル５０、５１、５２および５３を含み、これらサイドパネルは、それぞれメインパネル４５および４６の縦方向に延びたマージン５４、５５、５６および５７から延びている。またこの内方ブランクは、突起部５８および５９を有し、これら突起部は、パックが完全に組み立てられたときに外方ブランクの蓋２を閉じた状態に保持するためのものである。また内方ブランク４４は、切り欠き部６０および６１を有する。切り欠き部６０によって、組み立てられた内方ブランクによって保持された喫煙品に喫煙者が触れることができる。
【００５３】
内方ブランク４４は、そのメインパネル４５が外方ブランク１の第２メインパネル２５の内面に接触するように外方ブランク１内に配置される。内方ブランク４４は、糊付けなどによって所定の位置に固定してもよい。内方ブランク４４は、外方ブランク１に固定される前に組み立てられ、その中に喫煙品が挿入されるのが好ましい。
【００５４】
図３は、図１の外方ブランク１および図２の内方ブランク４４とを組み合わせて使用する際の第２の内方ブランク６２を示す。この第２内方ブランク６２は、メインパネル６３および６４と底部パネル６５を有する。これらメインパネル６３および６４は、サイドパネル６６、６７、６８および６９を有し、これらサイドパネルは、それぞれ縦方向に延びたマージン７０、７１、７２および７３から延びている。メインパネル６４は、マージン７４に沿って底部パネル６５に連結され、メインパネル６３は、マージン７５に沿って底部パネル６５に連結されている。
【００５５】
切り欠き部７６および７７がメインパネル６４および６３の頂部マージン７８および７９に設けられている。
【００５６】
組み立てられた際、内方ブランク６２は、喫煙品の束を包み、メインパネル６４が外方ブランクの第１メインパネル２４の内面に接するように外方ブランク１に配置される。外方ブランク１は、これら内方ブランク４４および６２の周りで組み立てられる。
【００５７】
外方および内方ブランクが組み立てられることによって形成された喫煙品パックは、例えばセロファンなどの包装材で包装してもよい。この包装材に喫煙者がパックからこの包装材を取り外すことができるように開封帯を設けてもよい。その後、ミシン目線４０を破断し、蓋がヒンジ線２７に沿って開閉し、パネル４６および６３の外面に触れることができる。パネル４６および６３は、喫煙者に情報を提供するために使用してもよい。これとは別にパネル４６および６３に図形および／または印を設け、該表面を組み立てられたパックが開いているときに喫煙者に見えるようにしてもよい。
【００５８】
図４は、本発明の第２の態様による別の外方ブランク８１を示す。この第２の態様の外方ブランク８１は、図１に示した外方ブランク１の全ての特徴を有している。図４の外方ブランク８１は、サイドパネル３２の縦方向に延びたマージン４１から延びたサイドフラップ８０を有する。従って図４の外方ブランク８１は、サイドパネル３２および３３の縦方向に延びたマージンから延びた２つのサイドフラップを有する。またミシン目線８２が第２メインパネル２５の頂部マージン８３から縦方向にマージン２９を越えて底部パネル２６へと延びている。このミシン目線８２は、ミシン目線４０にまで延びているが、これを越えない。
【００５９】
外方ブランク８１が組み立てられた際、サイドフラップ８０および３５は、サイドパネル３８および３９の内面に接し、糊付けなどによってそこに固定される。ミシン目線８２および４０が破断されると外方ブランクが縦方向に延びたマージン３４および４１に沿って形成された２つのサイドヒンジを中心に自由に開閉する。これとは別にサイドフラップ８０および３５を外方ブランクが組み立てられた際にサイドパネル３８および３９の外面に接するようにしてもよい。
【００６０】
図５、６および７は、図４の外方ブランク１と組み合わせて使用するのに好適な内方ブランクを示す。
【００６１】
図５は、メインパネル８５および８６と、底部パネル８７とを含む内方ブランク８４を示す。メインパネル８５は、サイドパネル８８および８９を有し、これらサイドパネルは、それぞれ縦方向に延びたマージン９０および９１から延びている。
【００６２】
メインパネル８６は、サイドパネル９２および９３を有し、これらサイドパネルは、縦方向に延びたマージン９４および９５から延びている。
【００６３】
図６は、メインパネル９７および９８と、底部パネル９９とを含む内方ブランク９６を示す。メインパネル９７は、縦方向に延びたマージン１０２および１０３からそれぞれ延びたサイドパネル１００および１０１を有する。
【００６４】
メインパネル９８は、縦方向に延びたマージン１０６および１０７を有するサイドパネル１０４および１０５を有し、これらマージンからサイドパネル１０４および１０５が延びている。
【００６５】
図７は、メインパネル１０９および１１０と、底部パネル１１１とを含む内方ブランク１０８を示す。メインパネル１０９は、縦方向に延びたマージン１１４および１１５から延びたサイドパネル１１２および１１３を有する。
【００６６】
メインパネル１１０は、縦方向に延びたマージン１１８および１１９からそれぞれ延びたサイドパネル１１６および１１７を有する。
【００６７】
図４の外方ブランク８１および図５、６および７の内方ブランクから喫煙品パックを組み立てる場合、内方ブランク１０８のメインパネル１０９は、例えば糊付けなどによって外方ブランク８１の第１メインパネル２４に固定される。サイドパネル１１２および１１３は、外方ブランク８１のサイドパネル３８および３９の内面に糊付けなどによって固定される。
【００６８】
内方ブランク９６のメインパネル９８は、外方ブランク８１の第２メインパネルの第１部分２５ａの内面に固定される。内方ブランク９６のサイドパネル１０４は、外方ブランク８１のサイドパネル３２の内面に固定される。
【００６９】
内方ブランク８４のメインパネル８６は、外方ブランク８１の第２メインパネルの第２部分２５ｂの内面に固定される。内方ブランク８４のサイドパネル９３は、外方ブランク８１のサイドパネル３５の内面に固定される。
【００７０】
外方ブランク８１および内方ブランク８４、９６および１０８は、喫煙品パックを形成するために完全に組み立てられる。組み立てられた喫煙品パックは、例えばセロファンなどで包装してもよい。
【００７１】
内方ブランクは、これら内方ブランクの周囲に外方ブランクが組み立てられる前に喫煙品の束を囲んで組み立てられるのが好ましい。
【００７２】
図８は図２に示した内方ブランクの別の構成を示している。切り欠き部６０は、図２の内方ブランク対応する切り欠き部６０より浅くなるように構成されている。図１の外方ブランク１が図３および８に示した内方ブランクを囲んで組み立てられた際、外方ブランク１のミシン目線４０が破断され、パックがヒンジ３４を介して開かれるまで、パック内に収められた喫煙品に触れることができない。
【００７３】
上記図面に示した外方および内方ブランクは、丸みを帯びても、方形でも、縁取りされてもよい。またこれらブランクは、喫煙品パックまたはカートンのいかなる大きさにも合った寸法にすることができる。本発明の外方および内方ブランクは、喫煙品パックの組み立てと共に使用される場合、外方ブランクが複数の内方ブランクの周囲に組み立てられるような寸法を有する必要がある。
【図面の簡単な説明】
【００７４】
【図１】本発明の１つの態様による喫煙品パック外方ブランクを示す。
【図２】図１の外方ブランクと組み合わせて使用される内方ブランクを示す。
【図３】図１の外方ブランクおよび図２の内方ブランクと組み合わせて使用される第２の内方ブランクを示す。
【図４】本発明の第２の態様による外方喫煙品パックブランクを示す。
【図５】図４の外方ブランクと組み合わせて使用される内方ブランクを示す。
【図６】図４の外方ブランクおよび図５の内方ブランクと組み合わせて使用される第２の内方ブランクを示す。
【図７】図４の外方ブランクおよび図５および６の内方ブランクと組み合わせて使用される別の内方ブランクを示す。
【図８】図２の内方ブランクの別の構成を示す。
【図１】
2006519735.tif 000003
【図２】
2006519735.tif 000004
【図３】
2006519735.tif 000005
【図４】
2006519735.tif 000006
【図５】
2006519735.tif 000007
【図６】
2006519735.tif 000008
【図７】
2006519735.tif 000009
【図８】
2006519735.tif 000010
【国際調査報告】
2006519735.tif 000011
2006519735.tif 000012
2006519735.tif 000013